(57)【要約】【課題】  かご室の意匠壁を構成する壁パネルの表面化粧部分に修復不可能な汚れや傷が付いても、簡単に化粧部分を取り換えることができるエレベータのかご室を得る。【解決手段】  かご床１と、かご天井４と、かご床及びかご天井の間に立設され、かご室周囲の側壁を構成する複数の壁パネル２と、壁パネルの表面に被覆固定された化粧部材３とを備えたものにおいて、壁パネル２は、上下端部が回転支持具５を介して回転可能に支持され、通常時は拘束固定具６により拘束固定されており、化粧部材３の交換時には拘束固定具を外すことにより、回転される。【選択図】    図２
2006290565.tif 000002
【特許請求の範囲】
【請求項１】
かご床と、かご天井と、前記かご床及びかご天井の間に立設され、かご室周囲の側壁を構成する複数の壁パネルと、前記壁パネルの表面に設けられた化粧部材とを備えたエレベータのかご室において、
前記壁パネルは、上下端部が回転支持具を介して回転可能に支持され、通常時は、前記拘束固定具により拘束固定されており、前記化粧部材の交換時には前記拘束固定具を外すことにより、回転されることを特徴とするエレベータのかご室。
【請求項２】
壁パネルは、中央上下端部がかご床の幅木及びかご天井との間に設けられた回転支持具により回転可能に支持されたことを特徴とする請求項１記載のエレベータのかご室。
【請求項３】
互いに隣接する壁パネルの両端部同士が嵌合するように構成したことを特徴とする請求項１又は請求項２記載のエレベータのかご室。
【請求項４】
互いに隣接する壁パネルの両端部の一方がコ字型形成部を有し、かつ他方がＺ字型形成部を有することを特徴とする請求項１〜請求項３のいずれかに記載のエレベータのかご室。
【請求項５】
壁パネルが回転することで互いに隣接する壁パネルの両端部同士の嵌合が順次外れ、全ての壁パネルの嵌合が外れることを特徴とする請求項１〜請求項４のいずれかに記載のエレベータのかご室。
【発明の詳細な説明】
【技術分野】
【０００１】
この発明は、エレベータのかご室の構造に関するものである。
【背景技術】
【０００２】
従来のエレベータかご室は、かご床の上に表面に化粧が施された複数の意匠壁（側壁）がボルト等で連立して固定され、その上からかご天井を配置し、ボルト等で固定され、強制的に固定された状態である。ところが、何年かする間に、悪戯や引越し等の荷物の積み下ろし作業で、意匠壁（側壁）を汚したり、傷付けたリして表面の化粧部分を修復する必要が出てくる。
また、エレベータかごの側板間に目地を設けた構造において、目地の一部が損傷した時、損傷した部分の目地のみの交換を可能とし、低コストで交換することができるエレベータかごの側板目地の取付構造が提案されている（例えば、特許文献１参照）。
【０００３】
【特許文献１】特開２００２−３２１８８５号公報
【発明の開示】
【発明が解決しようとする課題】
【０００４】
従来のエレベータのかご室では、上記のように複数の意匠壁（側壁）は、連立してかご床やかご天井に立設固定されているため、意匠壁（側壁）表面の化粧部材を修復するには、かご室を分解し、意匠壁（側壁）の表面化粧部材を取り換える必要があり、取り換えには膨大な費用や時間を費やすという問題点がある。
また、特許文献１記載のものは、側板目地の一部が損傷した時に目地の一部が交換できる側板目地取付構造に関するものであり、意匠壁（側壁）表面の化粧部材の取り換えについて考慮されたものではない。
【０００５】
この発明は上記のような課題を解決するためになされたもので、かご室の意匠壁を構成する壁パネルの表面化粧部分に修復不可能な汚れや傷が付いても、簡単に化粧部分を取り換えることができるエレベータのかご室を提供することを目的とする。
【課題を解決するための手段】
【０００６】
この発明に係るエレベータのかご室においては、かご床と、かご天井と、かご床及びかご天井の間に立設され、かご室周囲の側壁を構成する複数の壁パネルと、壁パネルの表面に被覆固定された化粧部材とを備えたものにおいて、壁パネルは、上下端部が回転支持具を介して回転可能に支持され、通常時は、拘束固定具により拘束固定されており、化粧部材の交換時には拘束固定具を外すことにより、回転されるものである。
【発明の効果】
【０００７】
この発明によれば、壁パネルは、上下端部が回転支持具を介して回転可能に支持され、通常時は、拘束固定具により拘束固定されており、化粧部材の交換時には拘束固定具を外すことにより回転されるので、かご室の意匠壁を構成する壁パネルの表面化粧部分に修復不可能な汚れや傷が付いても、簡単に化粧部分を取り換えることができる。
【発明を実施するための最良の形態】
【０００８】
実施の形態１.
図１はこの発明の実施の形態１におけるエレベータのかご室を示す斜視図、図２はこの発明の実施の形態１におけるエレベータのかご室の概略構造を示す平面図、図３は図１のＡ−Ａ線に沿った壁パネル上部の構造を示す断面図、図４は図１のＢ−Ｂ線に沿った壁パネル下部の構造を示す断面図、図５は図２のＣ部における壁パネルの構造を示す平面断面図である。
【０００９】
図中、１は幅木１１を有するエレベータのかご床、２ａは平面視で一端にコ字型形成部２１を有しかつ他端にＺ字型形成部２２を有する第１の壁パネルである。この壁パネル２ａの表面には化粧部材３がねじ、テープ等により被覆固定されている。４はかご天井である。第１の壁パネル２ａは、かご床１の幅木１１とかご天井４との間に立設され、その中央上下端部が回転支持具５を介して回転可能に支持されている。また、第１の壁パネル２ａのコ字型形成部２１側及びＺ字型形成部２２ではボルト等からなる拘束固定具６によりかご床１の幅木１１とかご天井４に拘束固定されている。
２ｂは第１の壁パネル２ａと同様に構成された第２の壁パネルであり、かご床１の幅木１１とかご天井４との間に上記第１の壁パネル２ａと隣接して立設され、その中央上下端部が回転支持具５を介して回転可能に支持されている。また、第２の壁パネル２ｂのコ字型形成部２１側及びＺ字型形成部２２ではボルト等からなる拘束固定具６によりかご床１の幅木１１とかご天井４に拘束固定されている。そして、互いに隣接する壁パネル２ａの一端のコ字型形成部２１と壁パネル２ｂの他端のＺ字型形成部２２は両者互いに嵌合状態となっている。以下同様に構成された第３の壁パネル２ｃ、第４の壁パネル２ｄ、第５の壁パネル２ｅ、第６の壁パネル２ｆが、第１の壁パネル２ａ及び第２の壁パネル２ｂと同様に互いに隣接して立設されて、かご床１の出入口を除く周縁部に６枚の壁パネル２ａ〜２ｆが連立され、かご室周囲の側壁が構成される。
【００１０】
上記構成により、通常は、図１、図２の実線で示すように、かご室の壁パネル２ａ〜２ｆは拘束固定具６により拘束固定されている。しかし、壁パネル２の表面に設けられた化粧部材３に修復不可能な汚れや傷が付いて該化粧部材３を交換する場合は、拘束固定具６を取外すことで、図２の鎖線で示すように、かご床１の幅木１１及びかご天井４との間に支持される回転支持具５により、回転させることが可能になる。この壁パネル２が回転可能になることにより、隣接する各壁パネル２の端部同士の嵌合状態が外れ、かご室を周囲する全ての壁パネル２ａ〜２ｆが回転可能となる。こうして全ての壁パネル２ａ〜２ｆが回転し、隣接する壁パネル２の端部同士の嵌合を順次外すことができるので、極めて容易に壁パネル２の端部にまで手が届き、壁パネル表面に設けられた化粧部材３の取り換え作業を簡単に行うことができる。また、化粧部材３を新規のものと交換した後は、上記と逆の手順で隣接する壁パネル２の端部同士を嵌合させた状態で、拘束固定具６により拘束固定することで通常の状態に戻すことができる。
また、回転させる壁パネルを限定することで、操作盤、手すり、鏡、荷すり等のかご内機器の据付作業や調整作業などを容易にすることも考えられる。
【００１１】
したがって、実施の形態１のような構成にすることにより、かご室の意匠壁を構成する壁パネルの表面化粧部分に修復不可能な汚れや傷が付いても、簡単に化粧部分を取り換えることができる効果がある。
【図面の簡単な説明】
【００１２】
【図１】この発明の実施の形態１におけるエレベータのかご室を示す斜視図である。
【図２】この発明の実施の形態１におけるエレベータのかご室の概略構造を示す平面図である。
【図３】図１のＡ−Ａ線に沿った壁パネル上部の構造を示す断面図である。
【図４】図１のＢ−Ｂ線に沿った壁パネル下部の構造を示す断面図である。
【図５】図２のＣ部の壁パネルの構造を示す平面断面図である。
【符号の説明】
【００１３】
１  かご床
１１  幅木
２ａ〜２ｆ  壁パネル
２１  コ字型形成部
２２  Ｚ字型形成部
３  化粧部材
４  かご天井
５  回転支持具
６  拘束固定具
【図１】
2006290565.tif 000003
【図２】
2006290565.tif 000004
【図３】
2006290565.tif 000005
【図４】
2006290565.tif 000006
【図５】
2006290565.tif 000007